(57)【特許請求の範囲】
【請求項１】
ＲＺ信号をソリトンタイプの信号に圧縮するステップ（１；２１）と、
クロックを使用してソリトンタイプの信号を同期光変調するステップ（２；２２）と、
変調ソリトン信号を非ソリトンＲＺ信号に伸張するステップ（３；２３）と、を含む非ソリトンＲＺ光信号の再生方法。
【請求項２】
非ソリトンＲＺ信号、ソリトンタイプの信号、又は再生非ソリトンＲＺ信号からクロックを復元するステップを有することを特徴とする請求項１に記載の方法。
【請求項３】
圧縮ステップが、
特にスペクトルろ波により、符号化された光信号をスペクトル処理又は時間処理するステップ、
増幅を行うステップ、
高分散性非線形光学媒質内で信号を伝播させるステップ、
のうちの少なくとも一つを含むことを特徴とする請求項１又は２に記載の方法。
【請求項４】
伸張ステップが、
時間的拡張を行うステップ（１３）、
後置増幅を行うステップ（１４）、
のうちの少なくとも一つを含むことを特徴とする請求項１から３のいずれか一項に記載の方法。
【請求項５】
ソリトンタイプの信号を同期光変調するステップが少なくとも２回繰り返されることを特徴とする請求項１から４のいずれか一項に記載の方法。
【請求項６】
導波フィルタ及びスライドタイプ導波フィルタを含むグループから選択されたフィルタによってソリトンタイプの信号をろ波する少なくとも一つのステップを有することを特徴とする請求項１から４のいずれか一項に記載の方法。
【請求項７】
ＮＲＺ光信号を非ソリトンＲＺ信号に変換するステップと、
請求項１から６のいずれか一項に記載の方法により、非ソリトンＲＺ信号を再生するステップと、
再生ＲＺ光信号をＮＲＺ信号に変換するステップと、
を含むＮＲＺ光信号の再生方法。
【請求項８】
信号を多重分離するステップ（３５）と、
請求項１から６のいずれか一項に記載の方法によって、多重分離信号を再生するステップ（３６1−３６n）と、
再生された信号を多重化するステップ（３７）と、
を含む多重非ソリトンＲＺ光信号の再生方法。
【請求項９】
多重チャンネルを同期化するステップと、
請求項１から６のいずれか一項に記載の方法によって、同期チャンネル信号を再生するステップと、
を含む多重非ソリトンＲＺ光信号の再生方法。
【請求項１０】
ＮＲＺ光信号を非ソリトンＲＺ光信号に変換するステップと、
請求項１から６のいずれか一項に記載の方法によって非ソリトンＲＺ光信号を再生するステップと、
再生ＲＺ光信号をＮＲＺ光信号に変換するステップと、
を含むＮＲＺ光信号の再生方法。
【請求項１１】
ＮＲＺ光信号を多重分離し、非ソリトンＲＺ光信号に変換するステップと、
請求項１から６のいずれか一項に記載の方法によってＲＺ光信号を再生するステップと、
再生ＲＺ光信号を多重化し、多重化ＮＲＺ光信号に変換するステップと、
を含む多重化ＮＲＺ光信号の再生方法。
【請求項１２】
ＮＲＺ光信号を非ソリトンＲＺ光信号に変換するステップと、
多重チャンネルを同期化するステップと、
請求項１から６のいずれか一項に記載の方法によって同期チャンネルの非ソリトンＲＺ光信号を再生するステップと、
再生ＲＺ光信号をＮＲＺ光信号に変換するステップと、
を含む多重化ＮＲＺ光信号の再生方法。
【請求項１３】
ＲＺ信号をソリトンタイプの信号に圧縮する手段（１；２１）と、
クロックを使用して、ソリトンタイプの信号を同期光変調する手段（２；２２）と、
変調ソリトン信号を非ソリトンＲＺ信号に伸張する手段（３：２３）と、
を含む非ソリトンＲＺ光信号の再生装置。
【請求項１４】
変調手段が、非ソリトンＲＺ信号、ソリトンタイプの信号、又は再生非ソリトンＲＺ信号からクロックを復元する手段（６、７；２６、２７）を含むことを特徴とする請求項１３に記載の再生装置。
【請求項１５】
圧縮手段が、
符号化された光信号をスペクトル処理又は時間処理する手段、特にスペクトルろ波手段、
増幅を行う手段（４）、
高分散性、特に可変分散性の非線形光学媒質（５）、
のうちの少なくとも一つの手段を含むことを特徴とする請求項１３又は１４に記載の再生装置。
【請求項１６】
伸張手段が、
時間的拡張を行う手段（１３）、
後置増幅手段（１４）、
のうちの少なくとも一つの手段を含むことを特徴とする請求項１３から１５のいずれか一項に記載の再生装置。
【請求項１７】
圧縮手段及び伸張手段の少くとも一方が、ある長さの光ファイバ（５；１３）を含むことを特徴とする請求項１３から１６のいずれか一項に記載の再生装置。
【請求項１８】
ソリトンタイプの信号の少なくとも一部について変調手段をカスケード接続する手段を有することを特徴とする請求項１３から１７のいずれか一項に記載の再生装置。
【請求項１９】
カスケード接続手段が、変調手段（２８）の上流側の第一サーキュレータ（２４）と、変調手段の下流側の第二サーキュレータ（３０）と、非線形伝播媒質（３１）とを含み、
第一サーキュレータ（２４）が、変調すべき信号を受信し、これら信号を変調手段（２８）に供給し、二回変調された信号を変調手段（２８）から受信し、これら信号を伸張手段に供給し、
第二サーキュレータ（３０）が、一回変調された信号を変調手段（２８）から受信し、これら信号を伝播媒質（３１）に供給し、伝播媒質（３１）を通って伝播した信号を受信し、これら信号を変調手段（２８）に供給する
ことを特徴とする請求項１８に記載の再生装置。
【請求項２０】
導波フィルタ及びスライドタイプ導波フィルタを含むグループから選択されたソリトンタイプの信号ろ波手段を有することを特徴とする請求項１３から１９のいずれか一項に記載の再生装置。
【請求項２１】
信号を多重分離する手段（３５）と、
請求項１３から１８のいずれか一項に記載の複数の再生装置（３６1−３６n）と、
再生信号を多重化する手段（３７）と、
を含む多重非ソリトンＲＺ光信号の再生装置。
【請求項２２】
多重チャンネルを同期化する手段と、
請求項１３から２０のいずれか一項に記載の再生装置と、
を含む多重非ソリトンＲＺ光信号の再生装置。
【請求項２３】
圧縮手段の上流側にあって、ＮＲＺ信号を非ソリトンＲＺ光信号に変換する手段と、
請求項１３から２０のいずれかに一項に記載の再生装置と、
前記伸張手段の下流側にあって、再生ＲＺ光信号をＮＲＺ信号に変換する手段と、
を含むＮＲＺ光信号の再生装置。
【請求項２４】
ＮＲＺ光信号を多重分離し、非ソリトンＲＺ光信号に変換する手段と、
請求項１３から２０のいずれか一項に記載の複数の再生装置と、
再生ＲＺ光信号を多重化し、多重化ＮＲＺ光信号に変換する手段と、
を含む多重化ＮＲＺ光信号の再生装置。
【請求項２５】
ＮＲＺ光信号を非ソリトンＲＺ光信号に変換する手段と、
多重チャンネルを同期化する手段と、
請求項１３から２０のいずれか一項に記載の再生装置と、
を含む多重化ＮＲＺ光信号の再生装置。
【請求項２６】
請求項１３から２５のいずれか一項に記載の少なくとも一つの再生装置を含む光ファイバタイプ光伝送システム。
【発明の詳細な説明】
【０００１】
【発明の属する技術分野】
本発明は、非ソリトン信号を光ファイバ伝送するシステムのための光再生方法に関する。本発明はまた、このような伝送システム用の再生装置にも関する。
【０００２】
【従来の技術】
現在、地上光ファイバ伝送システムでは、通常、ＲＺ（０復帰）パルスが使われている。特に既存のシステムの課題の一つは、エラーを発生させずにデータ伝送速度や伝送距離を大きくすることである。種々の解決方法が提案された。第一の方法は、パルスＲＺの継続時間を短くし、時間多重化を使用することから成る。この方法は、伝播によって発生するジッタ、及び伝送システムの種々の光学要素による制限を受ける。ＮＲＺ（非０復帰）パルスを使用する伝送システムの場合でも同様の問題が生じる。
【０００３】
この問題を解消するため、再生装置内で信号の光−電子変換を行い電子信号を再生することが知られている。この方法は本質的に、使用する半導体素子の通過帯域による制限を受ける。また、伝送システムの最大長についても制限を受ける。更に、この方法は伝送速度の増加にともなって高コストとなることが知られている。
【０００４】
また、波長が異なりジッタのない局部クロックに関し、クロックにジッタをもつＲＺ信号を印加することにより、波長変換を行うことが提案された。この技術は、局部クロックが必要とされるのに加え、波長多重化が使用される場合、一般的には波長を変換することが問題となる場合は適用が難しいという欠点を有する。
【０００５】
また、ソリトンパルス又はソリトンを伝送することは知られている。これらのパルスは、ビット時間に対し小さな時間幅（ＦＷＨＭ、Full Width at Half Maximum）のＲＺパルスであり、出力、スペクトル幅、及び時間幅の間に一定の関係を有し、通常、光ファイバの異常分散部分内を伝播する。単一モードファイバ内のこのようなソリトンパルスのエンベロープの変化は、非線形シュレーディンガー方程式によってモデル化することができる。即ち、伝播は、ファイバの異常分散とその非線形性の間のバランスによる。このようなソリトン信号のジッタを制御するために、種々の解決方法が提案された。スライディング導波フィルタシステムを使用することが知られているが、これについては例えばＥＰ−Ａ−０５７６２０８を参照されたい。また、ソリトン信号の同期変調を行うことが提案された。これを行うために、種々の種類の変調器、特にカー効果を利用する振幅又は位相同期変調器を使用することができる。Ｈ．Ｋｕｂｏｔａ及びＭ．Ｎａｋａｚａｗａの「Soliton Transmission Control in Time and Frequency Domains」、IEEE Journal of Quantum Electronics, vol. 29 No. 3. 2189、あるいはＮ．Ｊ．Ｓｍｉｔｈ及びＮ．Ｊ．Ｄｏｒａｎの「Evaluating the Capacity of Phase Modulator-Controlled Long-Haul soliton Transmission, Optical Fibers Technology I」、218-235(1995)には、ソリトン信号の制御又は再生についての種々の技術が紹介されている。
【０００６】
これらの技術は電子素子の通過帯域の制限はない。しかしながら、パルス又はそのスペクトルはソリトン信号と異なるので、非ソリトンＲＺパルスには直接適用することはできない。
【０００７】
【発明が解決しようとする課題】
本発明は、非ソリトンＲＺ光信号のジッタ制御の問題に対し、新規の簡単な解決方法を提供するものである。非ソリトン光信号とは、ビット時間に対する時間幅（ＦＷＨＭ）が大きいこと、即ちビット時間のおよそ３０〜４０％であること、出力、スペクトル幅、及び時間幅の間に一定の関係がないこと、全体的に、あるいは平均すれば、光ファイバの正常分散又はゼロ分散部分内で伝播が行われること、伝播中、分散度と非線形性との間に均衡がないことという特徴のうちの一つ又は複数を有する信号を意味する。
【０００８】
本発明により、ある実施形態においては、ジッタ又は位相ノイズだけでなく、非ソリトンＲＺ信号の振幅ノイズも補正することができる。本発明は、既存の地上伝送システムに有利に適用され、伝送媒質に手を加えることなく、最大伝送速度又は伝送距離を大きくすることが可能になる。また、本発明により、制御システムを追加するか変更するだけで、既存リンクの容量を増加させることができる。
【０００９】
【課題を解決するための手段】
より詳細には、本発明は、
−  ＲＺ信号をソリトンタイプの信号に圧縮するステップと、
−  クロックを使用してソリトンタイプの信号を同期光変調するステップと、
−  変調ソリトン信号を非ソリトンＲＺ信号に伸張するステップと、
を含む非ソリトンＲＺ光信号の再生方法を提供する。
【００１０】
非ソリトンＲＺ信号、ソリトンタイプの信号、又は再生非ソリトンＲＺ信号からクロックを復元するステップを設けることができる。
【００１１】
圧縮ステップは、有利には、
−  特にスペクトルろ波により、符号化された光信号をスペクトル処理又は時間処理するステップと、
−  増幅を行うステップと、
−  高分散性非線形光学媒質内で信号を伝播させるステップと、
のうちの少なくとも一つを含む。
【００１２】
伸張ステップは、
−  時間的拡張を行うステップと、
−  後置増幅を行うステップと、
のうちの少なくとも一つを含むことが好ましい。
【００１３】
一実施形態では、ソリトンタイプの信号を同期光変調するステップが少なくとも２回繰り返される。
【００１４】
また、導波フィルタ及びスライドタイプ導波フィルタを含むグループのうちから選択されたフィルタにより、ソリトンタイプの信号をろ波する少なくとも一つのステップを設けることもできる。
【００１５】
本発明はまた、
−  ＮＲＺ光信号を非ソリトンＲＺ信号に変換するステップと、
−  本発明の方法によって非ソリトンＲＺ信号を再生するステップと、
−  再生ＲＺ光信号をＮＲＺ信号に変換するステップと、
を含むＮＲＺ光信号の再生方法も提供する。
【００１６】
本発明は更に、
−  信号を多重分離するステップと、
−  本発明の方法によって多重分離信号を再生するステップと、
−  再生信号を多重化するステップと、
を含む多重非ソリトンＲＺ光信号の再生方法も提供する。
【００１７】
本発明は、
−  多重チャンネルを同期化するステップと、
−  本発明の方法によって同期チャンネルの信号を再生するステップと、
を含む多重非ソリトンＲＺ光信号の再生方法も対象とする。
【００１８】
一実施形態では、本発明は、
−  ＮＲＺ光信号を非ソリトンＲＺ光信号に変換するステップと、
−  本発明の方法によって、非ソリトンＲＺ光信号を再生するステップと、
−  再生ＲＺ光信号をＮＲＺ光信号に変換するステップと、
を含むＮＲＺ光信号の再生方法を提供する。
【００１９】
別の実施形態では、本発明は、
−  ＮＲＺ光信号を多重分離し、非ソリトンＲＺ光信号に変換するステップと、
−  本発明の方法によってＲＺ光信号を再生するステップと、
−  再生ＲＺ光信号を多重化し、多重化ＮＲＺ光信号に変換するステップと、を含む多重化ＮＲＺ光信号の再生方法を提供する。
【００２０】
更に本発明は、
−  ＮＲＺ光信号を非ソリトンＲＺ光信号に変換するステップと、
−  多重チャンネルを同期化するステップと、
−  本発明の方法により、同期チャンネルの非ソリトンＲＺ光信号を再生するステップと、
−  再生ＲＺ光信号をＮＲＺ光信号に変換するステップと、
を含む多重化ＮＲＺ光信号の再生方法を提供する。
【００２１】
本発明は、
−  ＲＺ信号をソリトンタイプの信号に圧縮する手段と、
−  クロックを使用して、ソリトンタイプの信号を同期光変調する手段と、
−  変調ソリトン信号を非ソリトンＲＺ信号に伸張する手段と、
を含む非ソリトンＲＺ光信号の再生装置も対象とする。
【００２２】
変調手段は、非ソリトンＲＺ信号、ソリトンタイプの信号、又は再生非ソリトンＲＺ信号からクロックを復元する手段を含むことができる。
【００２３】
圧縮手段は、有利には、
−  符号化された光信号をスペクトル処理又は時間処理する手段、特にスペクトルろ波手段と、
−  増幅を行う手段と、
−  高分散、特に可変分散の非線形光学媒質と、
のうちの少なくとも一つの手段を含む。
【００２４】
伸張手段は、有利には、
−  時間的拡張を行う手段と、
−  後置増幅手段と、
のうちの少なくとも一つの手段を含む。
【００２５】
一実施形態では、圧縮手段及び伸張手段の少なくとも一方は、ある長さの光ファイバを含む。
【００２６】
また、ソリトンタイプの信号の少なくとも一部について変調手段をカスケード接続する手段を設けることもできる。これらのカスケード接続手段は、例えば変調手段の上流側の第一サーキュレータと、変調手段の下流側の第二サーキュレータと、非線形伝播媒質とを含む。この場合、第一サーキュレータは、変調すべき信号を受信し、これら信号を変調手段に供給し、二回変調された信号を変調手段から受信し、これら信号を伸張手段に供給し、第二サーキュレータは、一回変調された信号を変調手段から受信し、これら信号を伝播媒質に供給し、伝播媒質を通って伝播した信号を受信し、これら信号を変調手段に供給する。
【００２７】
また、導波フィルタ、及びスライドタイプ導波フィルタを含むグループのうちから選択されるソリトンタイプの信号ろ波手段を設けることもできる。
【００２８】
本発明は、
−  信号を多重分離する手段と、
−  前述の本発明による複数の再生装置と、
−  再生信号を多重化する手段と、
を含む多重非ソリトンＲＺ光信号の再生装置も提供する。
【００２９】
本発明は、
−  多重チャンネルを同期化する手段と、
−  前述の本発明による再生装置と、
を含む多重非ソリトンＲＺ光信号の再生装置も提供する。
【００３０】
更に本発明は、
−  圧縮手段の上流側にあって、ＮＲＺ光信号を非ソリトンＲＺ信号に変換する手段と、
−  前述の本発明による再生装置と、
−  伸張手段の下流側にあって、再生ＲＺ光信号をＮＲＺ信号に変換する手段と、
を含むＮＲＺ光信号の再生装置も提供する。
【００３１】
本発明は更に、
−  ＮＲＺ光信号を多重分離し、非ソリトンＲＺ光信号に変換する手段と、
−  前述の本発明による複数の再生装置と、
−  再生ＲＺ光信号を多重化し、多重化ＮＲＺ光信号に変換する手段と、
を含む多重化ＮＲＺ光信号の再生装置も対象とする。
【００３２】
本発明は、
−  ＮＲＺ光信号を非ソリトンＲＺ光信号に変換する手段と、
−  多重チャンネルを同期化する手段と、
−  前述の本発明による再生装置と、
を含む多重化ＮＲＺ光信号の再生装置も提供する。
【００３３】
最後に本発明は、少なくとも一つの上記再生装置を含む光ファイバタイプ光伝送システムを含む。
【００３４】
本発明の他の特徴及び利点は、例として示し添付の図面を参照して行う本発明の実施形態についての以下の説明を読むことにより明らかになろう。
【００３５】
【発明の実施の形態】
図１は、本発明の第一実施形態による再生装置の概略図である。図１の再生装置は、広く設置されている地上システムタイプのＲＺ信号を光ファイバ伝送するシステムで使用するためのものである。図１の再生装置は、ＲＺ信号をソリトンタイプの信号に圧縮する手段１と、ソリトンタイプの信号の同期光変調手段２と、変調ソリトン信号を非ソリトンＲＺ信号に伸張する手段３とを含む。
【００３６】
図１の実施形態では、圧縮手段１は前置増幅器４を含み、前置増幅器は再生すべきＲＺ光信号を受信し、前置増幅器４の出力は、高分散性カーファイバなどの圧縮ファイバ５に接続される。このファイバの分散を、圧縮係数を最適化するために距離に応じて変化させることが可能である。圧縮ファイバは、ソリトン信号として挙動する圧縮信号を供給する。非ソリトンＲＺ光信号をソリトンタイプの信号に変換するために、例えばスペクトルろ波、又は他の種類の、増幅を伴う又は伴わない、信号のスペクトル処理又は時間処理手段、あるいは種々の圧縮手段を組み合わせたものなど、他の圧縮手段を使用することができる。
【００３７】
従って圧縮手段は、例えばソリトンとしての挙動をもつソリトンタイプの光信号を変調手段２に供給する。変調手段はこれらの信号にソリトン同期変調を加えるが、これは、位相及び／又は振幅の変調とすることができる。変調手段は、カーファイバ５からの信号を受信し、クロック復元装置７に向けて信号の一部を分岐し、残りのソリトンタイプの信号をフィルタ８の入力に供給するカプラ６を備える。フィルタ８は、例えば導波フィルタ、即ち、ソリトンをその公称周波数に集中させる効果を発生するフィルタである。フィルタ８によってろ波された信号は同期変調器９に供給され、同期変調器は、装置７が生成するクロックによって制御される。変調器９は、ソリトンタイプの信号の位相及び／又は強度変調を行う。変調器９の出力は増幅器１０に接続され、次にファイバ１１に接続され、ファイバはソリトン信号の整形を行う。ファイバ１１は高分散性ファイバであり、その分散特性は変えることができる。ファイバは、少なくともソリトン信号の周期に等しい長さを有し、従って高品質の変調ソリトン信号を得ることができる。ファイバ１１の出力はフィルタ１２に接続され、フィルタはクロックを除去する。フィルタ１２の出力は、変調手段２の出力を構成する。
【００３８】
変調器として、例えば、ＮＯＬＭ（非線形光学ループミラー）、カーファイバ、電子−光又は光−電子変調器、その他、ソリトン信号に適する公知の任意の変調装置を使用することができる。従って、フィルタ８又は１２、増幅器１０、又はファイバ１１を付加又は取り除くことにより、変調手段が適合化される。
【００３９】
伸張手段３は、フィルタ１２の出力で再生ソリトンタイプの信号を受信する。伸張手段は、後置増幅器１４に接続された拡張ファイバ１３を備える。後置増幅器１４の出力では、非ソリトンＲＺ光信号が得られる。また、他の伸張手段を使用して、ソリトンタイプの信号を非ソリトンＲＺ光信号に変換することも可能である。
【００４０】
図１の実施形態では、変調前に、ソリトンタイプの信号から復元されたクロックを使用する。また、変調後のソリトンタイプの信号から、圧縮手段の入力で受信した非ソリトンＲＺ光信号から、あるいは再生ＲＺ信号からクロックを復元することも可能であることは明らかである。変調クロックを発生するために、再生すべき信号のビット周波数の局部発振器を使用することが可能であり、また例えば位相同期ループ又は別の種類の負帰還により該発振器の位相を制御することも可能である。
【００４１】
図１の再生装置の動作は明らかである。図２は、下から上に向かって、再生装置の入力における信号の波形、圧縮手段１の出力における信号の波形、及び再生装置の出力における信号の波形を示す図である。再生装置は、ビット時間の半分にほぼ等しい幅ΔＴを有しており、ジッタ及び振幅ノイズを受けた非ソリトンＲＺ信号を、入力で受信する。圧縮手段の出力では、信号はソリトンタイプの信号即ち、ビット時間より小さな幅、通常、ビット時間の２０％程度の幅δＴを有しており、ソリトン伝播に必要とされるピーク出力及びスペクトル幅を有する信号である。これらの信号は、ＲＺ信号と同様に、時間的ジッタ及び振幅ノイズを受けている。再生装置の出力では、入力信号と同様の波形を有し、変調により時間的ジッタが大幅に低減された非ソリトンタイプＲＺ信号が得られる。例えばＨ．Ｋｕｂｏｔａの論文に説明されているように、同期変調により、振幅ノイズも低減される。これについては図６を参照されたい。
【００４２】
図１の再生装置は、分散を適切に選択することにより、比較的短い、即ち十キロメートル又は数十キロメートルのファイバ長で作製することができる。従って、標準電子ラックに収容することの可能な小タイプ再生装置が得られる。この再生装置は、有利には、既存の伝送システムの性能向上のために使用される。即ち、この再生装置により、伝播媒質自体に手を加えることなく、低コストで、データ伝送速度を上げることができる。また、既存の伝送システムを延長するためにこの再生装置を使用することもできる。
【００４３】
図３は、本発明の第二実施形態による再生装置の概略図である。この実施形態ではソリトンタイプの信号に同期変調を二回加え、その結果、振幅ノイズが低減される。実際、変調クロックの周期のデューティレシオにより、第一同期変調によって振幅ノイズが部分的に除去される。ノイズは伝播の際に分散し、上記Ｈ．Ｋｕｂｏｔａの論文に説明されているように、第二同期変調により再度部分的に除去される。
【００４４】
図３の再生装置は、図１の再生装置と同様に、圧縮手段２１と、変調手段２２と、伸張手段２３とを備える。圧縮手段２１及び伸張手段２３はこれ以上詳細には記述しない。変調手段は、三つの端子を有するサーキュレータ２４を入力に備え、サーキュレータは、変調すべきソリトンタイプの信号を第一端子で受信し、第二端子の出力でこれら信号を送信する。変調すべき信号は、狭帯域フィルタ即ち導波フィルタ２５に供給され、フィルタ２５の出力でカプラ２６に供給され、カプラは信号の一部をクロック復元装置２７側に分岐する。残りのソリトンタイプの信号は、装置２７から出されるクロックによって制御される同期変調器２８に供給される。変調器２８は、ソリトンタイプの信号の位相又は強度変調を行う。変調器２８の出力は一つのファイバ２９区間を介して、第二サーキュレータ３０の第一端子に接続される。サーキュレータ３０は、一回変調された信号を、例えばソリトンファイバ３１などの伝播媒質に供給する。ファイバ３１を通って伝播した信号は、サーキュレータ３０の第三端子に戻り、サーキュレータによりファイバ２９を介して同期変調器２８に送られる。ファイバ２９及び３１の全長は、サーキュレータ３０によって変調器２８に供給される信号がクロックと同位相になるように選択される。従って信号は二回変調され、次にフィルタ２５を介して、第一サーキュレータ２４の第二端子に供給され、サーキュレータは出力でこれらの信号をその第三端子に供給する。フィルタ２５は、必要であればクロックをブロックする。必要に応じて、他のフィルタ又は増幅器を図３の装置に追加することができる。
【００４５】
同じ振幅ノイズ低減効果を得るために、適切な再生効果が得られるまで、図１の再生装置の種類の複数の再生装置を直列に接続するか、図３の再生装置の種類の複数の変調器を直列に接続することも可能である。
【００４６】
図４は、多重化ＲＺ信号に適合する、本発明の第三実施形態による再生装置の概略図である。図４の再生装置は、非ソリトンＲＺ光信号の伝送システムに多重化が適用される場合に適する。例えば時間多重化（ＯＴＤＭ）又は波長多重化（ＷＤＭ）を行うことができる。
【００４７】
図４の再生装置は、入力に多重ＲＺ光信号の多重分離手段３５を備え、該多重分離手段は、複数の出力に種々のチャンネルの信号を供給する。再生装置は、図１から図３を参照して説明した種類の複数の再生装置３６1〜３６nを備え、多重分離ＲＺ信号に同期変調を加える。これらの再生装置の後に、図４の装置は、再生信号の多重化手段３７を含む。当業者には図４の再生装置の動作は自明である。この再生装置により、多重信号の場合にも本発明を適用することができる。
【００４８】
図４の装置の代替装置は、チャンネルを多重分離しない装置である、即ち、ただ一つの再生装置がマルチプレクスで共用される。この場合、図１の変調器９でマルチプレクスの全チャンネルが適切に同期されることが前提となる。このような同期は、遅延線、分散補償装置、マルチプレクスの信号の波長の適切な選択のような当業者に自明の同期手段によって実現することができる。再生後、必要であれば、マルチプレクスの再整形を行う。
【００４９】
本発明は、ＮＲＺ信号を使用する伝送システムにも適用することができる。この場合、前述の種類の再生装置の上流側及び下流側に、通常のＮＲＺ−ＲＺ変換手段及び通常のＲＺ−ＮＲＺ変換手段を設けるだけでよい。また、構成に応じて、ＮＲＺ−ＲＺ変換手段と多重分離手段とを入れ換えることができることは明らかである。
【００５０】
もちろん、本発明は上記実施形態に限定されるものではなく、当業者には多くの変形形態が可能である。
【図面の簡単な説明】
【図１】本発明の第一実施形態による再生装置の概略図である。
【図２】図１の再生装置の入力（下）及び出力（上）、及び再生装置の圧縮手段の出力における信号の波形を示す図である。
【図３】本発明の第二実施形態による再生装置の概略図である。
【図４】多重化ＲＺ信号に適合する、本発明の第三実施形態による再生装置の略図である。
【符号の説明】
１  信号をソリトンタイプの信号に圧縮する手段
２  ソリトンタイプの信号の同期光変調手段
３  変調ソリトン信号を非ソリトン信号に伸張する手段
４  前置増幅器
５  圧縮ファイバ
６、２６  カプラ
７、２７  クロック復元装置
８、１２  フィルタ
９  変調器
１０  増幅器
１１、２９、３１  ファイバ
１３  拡張ファイバ
２４  第一サーキュレータ
２５  導波フィルタ
２８  同期変調器
３０  第二サーキュレータ
３５  多重ＲＺ光信号の多重分離手段
３６  多重分離信号の再生装置
３７  再生信号の多重化手段
【図１】
0004105272.tif 000002
【図２】
0004105272.tif 000003
【図３】
0004105272.tif 000004
【図４】
0004105272.tif 000005